(57)【要約】【課題】防火扉を完全に閉めたままの状態で、建築基準法並びに消防法の要求を満たしたまま、作業用電源等を供給するための仮設作業用の電源ケーブル等の線状基材をプラント内部に引き回すことができる防火扉を提供する。【解決手段】本発明は、扉枠に回動枢着部を介して開閉自在に取り付けた防火扉において、該防火扉に切欠部を設ける一方、該防火扉の切欠部に対応して、仮設作業用の線状基材を引き出す治具を扉枠に取り付けている。また、扉枠の切欠部を、回動枢着部が存在しない側の上方角部に設けている。さらに、防火扉を閉じたとき、防火扉の切欠部と扉枠の冶具は、隙間無く合致するものである。また、治具は、電源ケーブル・ビニールホース・ゴムホース・ポリウレタン樹脂チューブ・冷媒ホース等の線状基材を引き出す挿通孔を有している。【選択図】図２
2009061226.tif 000002
【特許請求の範囲】
【請求項１】
扉枠に回動枢着部を介して開閉自在に取り付けた防火扉において、該防火扉に切欠部を設ける一方、該防火扉の切欠部に対応して、仮設作業用の線状基材を引き出す治具を扉枠に取り付けたことを特徴とする防火扉。
【請求項２】
扉枠の切欠部を、回動枢着部が存在しない側の上方角部に設けた請求項１に記載の防火扉。
【請求項３】
防火扉を閉じたとき、防火扉の切欠部と扉枠の冶具は、隙間無く合致する請求項１または２に記載の防火扉。
【請求項４】
治具は、電源ケーブル・ビニールホース・ゴムホース・ポリウレタン樹脂チューブ・冷媒ホース等の線状基材を引き出す挿通孔を有する請求項１乃至３のいずれかに記載の防火扉。
【請求項５】
治具の挿通孔は、キャップ部材により閉止可能である請求項4に記載の防火扉。
【発明の詳細な説明】
【技術分野】
【０００１】
本発明は、例えば、原子力発電プラント等に設置された、防火扉に関するものである。
【背景技術】
【０００２】
原子力発電プラント等では、作業用電源・清掃洗浄用水・溶接用ガス・冷媒等を供給するため、仮設作業用の電源ケーブル・ビニールホース・ゴムホース・ポリウレタン樹脂チューブ・冷媒ホース等の線状基材をプラント内部に引き回し、保守作業を行っている。
【０００３】
具体的には、図６に示すように、プラント内部に設けられている部屋の扉枠２０に一対の回動枢着部３０等を介して取り付けられた防火扉１０を、取っ手９０等を操作して半開き状態にしておき、扉枠２０と防火扉１０の間に生じている隙間を利用して、上記した種々の仮設作業用の線状基材Ｋをプラント内部に引き回していた。
【特許文献１】特になし
【発明の開示】
【発明が解決しようとする課題】
【０００４】
しかしながら、従来においては、プラント内部に線状基材Ｋを引き回すために防火扉１０を半開き状態にして、完全に閉めることができないことから、建屋で万が一火災が発生した場合に防火扉１０による機密性を保つことができないため、建築基準法並びに消防法の要求を満たすことができないという問題を有していた。
【０００５】
そこで、本発明は如上のような従来存した諸事情に鑑み創出されたもので、防火扉を完全に閉めたままの状態で、建築基準法並びに消防法の要求を満たしたまま、作業用電源等を供給するための仮設作業用の電源ケーブル等の線状基材をプラント内部に引き回すことができる防火扉を提供することを目的とする。
【課題を解決するための手段】
【０００６】
本発明は、扉枠に回動枢着部を介して開閉自在に取り付けた防火扉において、該防火扉に切欠部を設ける一方、該防火扉の切欠部に対応して、仮設作業用の線状基材を引き出す治具を扉枠に取り付けたことで、上述した課題を解決した。
【０００７】
また、扉枠の切欠部を、回動枢着部が存在しない側の上方角部に設けたことで、同じく上述した課題を解決した。
【０００８】
さらに、防火扉を閉じたとき、防火扉の切欠部と扉枠の冶具は、隙間無く合致することで、同じく上述した課題を解決した。
【０００９】
また、治具は、電源ケーブル・ビニールホース・ゴムホース・ポリウレタン樹脂チューブ・冷媒ホース等の線状基材を引き出す挿通孔を有することで、同じく上述した課題を解決した。
【００１０】
加えて、治具の挿通孔は、キャップ部材により閉止可能であることで、同じく上述した課題を解決した。
【発明の効果】
【００１１】
本発明によれば、扉枠に回動枢着部を介して開閉自在に取り付けた防火扉において、該防火扉に切欠部を設ける一方、該防火扉の切欠部に対応して、仮設作業用の線状基材を引き出す治具を扉枠に取り付けたことから、防火扉を閉じたときに、該防火扉の切欠部と扉枠の治具とが互いに隙間無く合致して、建屋における密閉状態を確実に維持することができる。
【００１２】
その為、線状基材を引き回している建屋内において万が一火災が発生した場合であっても、火災の拡大を防ぐことで周囲に過大な被害をもたらす危険性が少なくなり、建築基準法並びに消防法の要求が満たされるものとなった。
【００１３】
また、扉枠の切欠部を、回動枢着部が存在しない側の上方角部に設けたことから、線状基材を引き出している状態の治具に防火扉の切欠部を隙間無く合致させて、防火扉自体の堅牢性を維持することができる。
【００１４】
さらに、治具は、電源ケーブル・ビニールホース・ゴムホース・ポリウレタン樹脂チューブ・冷媒ホース等の線状基材を引き出す挿通孔を有することから、この挿通孔を介して、防火扉を完全に閉じたままの状態で、プラント内部に仮設作業用の各種の線状基材を容易に引き回すことができる。
【００１５】
そして、治具の挿通孔は、キャップ部材により閉止可能であるので、プラント内部に各種の線状基材を引き回す必要がないときは、治具の挿通孔をキャップ部材により閉止して、建屋における密閉状態を確実に維持することができる。
【発明を実施するための最良の形態】
【００１６】
以下に、本発明を実施するための最良の形態を、図面を参照して説明する。
【００１７】
本発明に係る防火扉１は、不燃性を有する鋼板等によって形成されており、図１に示すように、建屋の扉枠２内に、一対の回動枢着部３を介して開閉自在に取り付けられている。また、防火扉１は、扉の開閉操作を行う取っ手９等を備えている。
【００１８】
この防火扉１は、図１に示すように、取っ手９等側（開放側）の上側角部に、略矩形状の切欠部４を設けている。
【００１９】
また、扉枠２には、図１に示すように、仮設作業用の線状基材Ｋを引き出す治具５を取り付けている。この治具５は、防火扉１の切欠部４に対応して、扉枠２おいて、防火扉１の取っ手９等側（開放側）の上側角部に位置し、略矩形状に形成されている。
【００２０】
そして、扉枠２内において、防火扉１を閉じたときには、図２に示すように、防火扉１の切欠部４と扉枠２の冶具は、隙間無く合致した状態となる。
【００２１】
具体的には、図３に示すように、防火扉１における切欠部４の外縁部の内側全体に、所定の段差部４ａを設けている。また、この切欠部４部分以外の防火扉１全体の外縁部の内側にも、同様の段差部１ａを設けている。
【００２２】
一方、防火扉１における切欠部４の段差部４ａに合致するように、治具５の全体に段差部５ａを設けている。また、治具５部分以外の扉枠２の全体にも、同様の段差部２ａを設けている。
【００２３】
この治具５の段差部５ａと扉枠２の段差部２ａは、防火扉１側の段差部４ａ・１ａと逆向きに設けられている。
【００２４】
そのため、図２に示すように、防火扉１を閉じたとき、図４に示すように、防火扉１側の段差部４ａ・１ａと扉枠２側の段差部５ａ・２ａが隙間無く合致して、建屋における密閉状態を維持している。
【００２５】
防火扉１の切欠部４に対応して、扉枠２に取り付けた治具５は、不燃性を有する素材によって形成されており、図２・図３に示すように、その略中央部に、挿通孔６が穿設されている。
【００２６】
この挿通孔６は、仮設作業用の、例えば、電源ケーブル・ビニールホース・ゴムホース・ポリウレタン樹脂チューブ・冷媒ホース等の線状基材Ｋについて、治具５を貫通させて引き出すためのものである。
【００２７】
このとき、挿通孔６を介して、防火扉１の両側に配置されている線状基材Ｋが、防火扉１の開閉時の妨げにならないようにするために、挿通孔６に所定の長さのガイド筒（図示せず）を取り付けても良い。このガイド筒（図示せず）は、治具５の挿通孔６から取り外し可能であっても良いし、また、溶接等により挿通孔６に固定しても良い。
【００２８】
そして、図１・図２に示すように、治具５の挿通孔６を介して、線状基材Ｋを引き出している状態において、防火扉１を閉じたときには、図４に示すように、防火扉１側の段差部４ａ・１ａと扉枠２側の段差部５ａ・２ａが隙間無く合致して、建屋における密閉状態が維持されるのである。
【００２９】
また、線状基材Ｋを引き出す必要が無くなったときは、治具５の挿通孔６から線状基材Ｋを取り外す。その後、図５に示すように、所定のキャップ部材７を嵌め込んで、治具５の挿通孔６を閉止する。
【００３０】
次に、以上のように構成された防火扉１について、使用の一例を説明する。
【００３１】
扉を超えて作業用電源等を供給するための仮設作業用の電源ケーブル等の線状基材Ｋをプラント内部に引き回す必要があるときには、図１に示すように、治具５に設けた挿通孔６に仮設作業用の線状基材Ｋを通して、治具５から線状基材Ｋを引き出す。
【００３２】
そして、プラント内に搬入された種々の設備機材に、各種の線状基材Ｋを接続させる。このとき、図２に示すように、防火扉１は、常時閉めたままの状態でプラント内における作業が行われる。
【００３３】
また、作業が終了したときには、治具５の挿通孔６から線状基材Ｋを取り外し、図５に示すように、治具５の挿通孔６にキャップ部材７を嵌め込んで、治具５の挿通孔６を閉止する。
【００３４】
尚、本実施の形態においては、防火扉１の切欠部４と扉枠２の治具５が、強度的に最も弱い取っ手９等側（開放側）の上側角部に設けられているが、これに限定されることはない。
【００３５】
例えば、防火扉１の切欠部４と扉枠２の治具５を、回動枢着部３側の上側角部に設けても良い。また、防火扉１の切欠部４と扉枠２の治具５を、防火扉１の開放側（取っ手９等側）の下側箇所に設けても良い。さらに、防火扉１の切欠部４と扉枠２の治具５を、防火扉１の回動枢着部３側の下側箇所に設けても良い。また、防火扉１の切欠部４と扉枠２の治具５を、防火扉１の複数箇所に設けても良い。
【産業上の利用可能性】
【００３６】
本発明に係る防火扉は、プラントに使用される以外に、様々な防火施設における入り口用の防火扉等として、幅広く利用することができる。
【図面の簡単な説明】
【００３７】
【図１】扉枠に取り付けた冶具の挿通孔を介して、仮設作業用の線状基材を引き出している状態において、防火扉を開いている状態を示す斜視図である。
【図２】扉枠に取り付けた冶具の挿通孔を介して、仮設作業用の線状基材を引き出している状態において、防火扉を閉じている状態を示す斜視図である。
【図３】切欠部を含む防火扉側の段差部の構成と、冶具を含む扉枠側の段差部の構成を示す斜視図である。
【図４】防火扉を閉じて、切欠部を含む防火扉側の段差部と、冶具を含む扉枠側の段差部が隙間無く合致している状態を示す断面図である。
【図５】治具の挿通孔から線状基材を取り外し、キャップ部材を嵌め込んで治具の挿通孔を閉止する状態を示す斜視図である。
【図６】防火扉を半開き状態にし、扉枠と防火扉の間に生じている隙間を利用して種々の仮設作業用の線状基材をプラント内部に引き回している従来の手法を示す斜視図である。
【符号の説明】
【００３８】
Ｋ…線状基材
１…防火扉
１ａ…段差部
２…扉枠
２ａ…段差部
３…回動枢着部
４…切欠部
４ａ…段差部
５…治具
５ａ…段差
６…挿通孔
７…キャップ部材
９…取っ手
１０…防火扉
２０…扉枠
３０…回動枢着部
９０…取っ手
【図１】
2009061226.tif 000003
【図２】
2009061226.tif 000004
【図３】
2009061226.tif 000005
【図４】
2009061226.tif 000006
【図５】
2009061226.tif 000007
【図６】
2009061226.tif 000008